(57)【特許請求の範囲】
【請求項１】
筐体の開口部を観音開きに配置された第１及び第２の扉により開閉し、前記第１及び第２の扉の双方が閉じたときに、前記筐体内に配置された装置に電源を供給するためのインターロック装置において、中間部で軸支され前記第１の扉が閉じたときにその一端部が押圧されて所定方向に回転するレバーと、前記レバーが前記所定方向に回転したときに前記レバーの他端部により第１の位置から第２の位置に向かって移動する連結部材と、前記連結部材に設けられ前記連結部材が前記第２の位置に移動しているときに前記第２の扉が閉じると前記第２の扉により第３の位置に進出する押圧部材と、前記押圧部材が前記第３の位置に進出したときにオンして前記装置に電源を供給するスイッチと、を有し、前記第２の扉が閉じた状態で前記第１の扉が閉じても、前記押圧部材は前記第３の位置に進出しないことを特徴とするインターロック装置。
【請求項２】
前記押圧部材は常時第４の位置に待避し、前記第２の扉が閉じるときに押圧されて前記第３の位置に進出するものであり、前記押圧部材を前記第４の位置に向けて付勢する第１の弾性部材が前記連結部材と前記押圧部材との間に設けられていることを特徴とする請求項１に記載のインターロック装置。
【請求項３】
前記第１及び第２の扉は水平軸を中心として回転するものであり、前記開口部は前記筐体の正面に配置され、前記レバーは水平軸を中心として回転するように配置され、前記第１の位置は前記第２の位置よりも下方に配置され、前記連結部材は常時重力により前記第１の位置に向かって付勢されていることを特徴とする請求項１又は２に記載のインターロック装置。
【請求項４】
前記筐体と前記連結部材との間に設けられ前記連結部材を常時前記第１の位置に向かって付勢する第２の弾性部材を有することを特徴とする請求項１又は２に記載のインターロック装置。
【請求項５】
前記レバーはその回転軸を境にして屈曲し一方の部分と他方の部分とが相互に異なる方向に延びており、前記レバーにおける前記第１の扉により押圧される側の辺が１８０°を超える角度で交差していることを特徴とする請求項１乃至４のいずれか１項に記載のインターロック装置。
【発明の詳細な説明】
【０００１】
【発明の属する技術分野】
本発明は、２枚の扉を備え装置を収納する筐体に設けられ前記２枚の扉の双方が閉じたときに装置の電源が入るインターロック装置に関する。
【０００２】
【従来の技術】
制御盤等の装置の多くは扉を備えた筐体に収納され、装置の運転時には扉が閉められ、装置の保守点検時及び消耗品の交換時等には装置の電源を切り、扉を開けて作業を行うようになっている。このような装置においては、安全性の観点から、扉を開けたまま装置の電源を入れてしまうという過失及び装置の運転中に扉を開けてしまうという過失の発生を防止するために、扉が閉まっている場合にのみ装置に電源を供給することが可能になるインターロック装置が筐体に設けられている。インターロック装置にはインターロックスイッチ（以下、単にスイッチという）が設けられ、扉を閉めることによってこのスイッチが押圧され、装置に電源を供給することが可能となる。
【０００３】
一方、前記筐体には、例えば観音開きの扉のように、１つの開口部に対して２枚の扉を備えるタイプがある。このタイプの筐体は、開口部の大きさに対して扉の移動域を小さくできるという利点がある。
【０００４】
このようなタイプの筐体にインターロック装置を設ける場合は、インターロック装置に扉と同数のスイッチを設け、扉ごとにスイッチを取り付ける方法がある。また、インターロック装置に１つだけスイッチを設け、１枚の扉に対してのみスイッチを設ける方法もある。
【０００５】
【発明が解決しようとする課題】
しかしながら、前述の従来の技術には以下に示すような問題点がある。扉ごとにスイッチを設ける方法では、スイッチの数が増えてしまい、インターロック装置のコストが上昇する。その結果、制御盤等の装置全体の原価に大きな影響を及ぼしてしまうという問題点がある。
【０００６】
また、１枚の扉に対してのみスイッチを設ける方法では、スイッチが設けられている扉が閉じていれば、他の扉が開いていても装置に電源が供給されてしまう。このため、安全性に問題がある。
【０００７】
本発明はかかる問題点に鑑みてなされたものであって、２枚の扉を備えた筐体に設けられるインターロック装置であって、１つのスイッチにより、前記２枚の扉の双方が閉じたときにのみ前記装置に電源を供給するインターロック装置を提供することを目的とする。
【０００８】
【課題を解決するための手段】
本発明に係るインターロック装置は、筐体の開口部を観音開きに配置された第１及び第２の扉により開閉し、前記第１及び第２の扉の双方が閉じたときに、前記筐体内に配置された装置に電源を供給するためのインターロック装置において、中間部で軸支され前記第１の扉が閉じたときにその一端部が押圧されて所定方向に回転するレバーと、前記レバーが前記所定方向に回転したときに前記レバーの他端部により第１の位置から第２の位置に向かって移動する連結部材と、前記連結部材に設けられ前記連結部材が前記第２の位置に移動しているときに前記第２の扉が閉じると前記第２の扉により第３の位置に進出する押圧部材と、前記押圧部材が前記第３の位置に進出したときにオンして前記装置に電源を供給するスイッチと、を有し、前記第２の扉が閉じた状態で前記第１の扉が閉じても、前記押圧部材は前記第３の位置に進出しないことを特徴とする。
【０００９】
本発明においては、第１の扉が閉じることにより連結部材が第１の位置から第２の位置に移動し、第２の扉を閉じることにより押圧部材が第３の位置へ進出し、押圧部材によりスイッチが押圧される。これにより、１つのスイッチによって、第１の扉と第２の扉の双方が閉じている場合にのみ、装置に電源を供給することが可能になる。
【００１０】
また、本発明に係るインターロック装置において、前記押圧部材は常時第４の位置に待避し、前記第２の扉が閉じるときに押圧されて前記第３の位置に進出するものであり、前記押圧部材を前記第４の位置に向けて付勢する第１の弾性部材が前記連結部材と前記押圧部材との間に設けられていることが好ましい。これにより、簡略な構成によって、第２の扉が開いているときに押圧部材を第４の位置に位置させることができる。
【００１１】
【発明の実施の形態】
以下、本発明の実施例について添付の図面を参照して具体的に説明する。図１乃至図３は本実施例に係るインターロック装置を示す側面図であり、図１は扉１及び２の双方が開いている状態、図２は扉１のみが閉じ、扉２が開いている状態、図３は扉１及び２が閉じた状態を示す。制御盤等の装置（図示せず）を収納する筐体（図示せず）には、その正面に前記装置の保守点検等を行うための矩形の開口部（図示せず）が設けられ、この開口部を開閉するための２枚の扉１及び２（図３参照）が設けられている。扉１は開口部の下辺にて水平軸により軸支されており、扉２は開口部の上辺、即ち開口部における扉１が軸支されている辺に対向する辺にて水平軸により軸支されている。これにより、扉１、２は水平軸を中心として観音開きに開閉する。扉２にはその内面に突起部１５（図３参照）が局所的に設けられている。また、前記筐体内には、前記開口部における扉１、２の先端部が合わさる位置の近傍に、インターロック装置１７が設けられている。
【００１２】
図１に示すように、インターロック装置１７においては、矩形の板状形状を有するブラケット７がその面を垂直にして前記筐体に固定されている。ブラケット７の下部には回動軸９が水平に固定されており、この回動軸９にはレバー３がその中間部で回動軸９に回転可能に軸支されている。レバー３は回動軸９を境にする第１部３ｄ及び第２部３ｅが相互に異なる方向に延びていて、これによりレバー３は、く字状形状をなしている。く字状形状をなすレバー３の１対の側辺のうち１８０°を超える角度で交差する側辺における第１部３ｄ側の端部が扉１を閉めたときに扉１により押圧される。また、第２部３ｅの先端部分には、第２部３ｅが延びる方向に延びる長円形状の開口部３ｃが設けられている。
【００１３】
また、ブラケット７にはスタッド１１及び１２が取り付けられており、スタッド１１はスタッド１２の直下に配置されている。スタッド１１及び１２には連結部材４が取り付けられている。連結部材４は垂直方向に延びる短冊状の形状を有しており、連結部材４の下部及び上部には夫々垂直方向に延びる長方形の開口部４ｃ及び４ｄが設けられている。開口部４ｃ及び４ｄには夫々スタッド１１及び１２が嵌合されており、連結部材４は垂直方向に位置４ａから位置４ｂまでの距離を移動可能となっている。即ち、スタッド１１及び１２は夫々開口部４ｃ及び４ｄ内を相対的に移動可能となっている。なお、位置４ａは位置４ｂよりも下方、即ち扉１側に配置されている。このように、連結部材４はスタッド１１及び１２を介してブラケット７に取り付けられている。
【００１４】
更に、連結部材４における開口部４ｃの下にはスタッド１０が取り付けられており、レバー３の開口部３ｃに嵌合されている。スタッド１０は開口部３ｃ内を相対的に移動可能になっている。これにより、連結部材４はレバー３に係合され、レバー３が回転することにより、連結部材４が垂直方向に移動するようになっている。通常、連結部材４は重力により位置４ａに位置している。このとき、レバー３の第１部３ｄはブラケット７の外側にはみ出し、第２部３ｅは位置３ａに位置している。この状態で扉１（図３参照）が閉じると、扉１が第１部３ｄを押圧し、レバー３が回動軸９を中心として回転するようになっている。
【００１５】
更にまた、連結部材４における開口部４ｃと開口部４ｄとの間には、水平方向に延びるガイド板１６が取り付けられており、ガイド板１６にはスタッド１３及び１４が取り付けられている。
【００１６】
一方、インターロック装置１７には押圧部材５が設けられている。押圧部材５は水平方向に延びる短冊状の形状を有しており、押圧部材５には水平方向に沿って延びる長方形の開口部５ｃ及び５ｄが設けられている。ガイド板１６のスタッド１３及び１４は夫々開口部５ｃ及び５ｄに嵌合しており、夫々開口部５ｃ及び５ｄ内を長手方向に沿って移動可能となっている。これにより、押圧部材５はガイド板１６の長手方向、即ち水平方向に沿って位置５ａから位置５ｂまでの領域を移動可能となっている。また、ガイド板１６と押圧部材５との間には押圧部材５を位置５ａに向かう方向に付勢するばね８が設けられている。これにより、押圧部材５に負荷が加えられていないときは、押圧部材５は移動域の左端、即ち位置５ａに位置している。
【００１７】
また、ブラケット７にはスイッチ６が固定されている。スイッチ６は押圧されたときに制御盤等の装置に電源を供給するものである。スイッチ６は本体６ａと押圧部６ｂと押圧部６ｂを覆うカバー６ｃとから構成されている。スイッチ６の押圧部６ｂは、連結部材４が移動域の上端、即ち位置４ｂに移動し、且つ、押圧部材５が移動域の右端、即ち位置５ｂに進出したときに、押圧部材５により押圧される位置に配置されている。
【００１８】
次に、インターロック装置１７の動作について説明する。図１は扉１及び２の双方が開いている状態を示している。図１に示すように、扉１及び２が開いているときは、連結部材４は連結部材４、ガイド板１６及び押圧部材５の重量により、移動域の最下部、即ち位置４ａに位置している。このとき、レバー３の第１部３ｄはブラケット７からはみ出し、第２部３ｅは位置３ａに位置している。また、押圧部材５はばね８の弾性力により、位置５ａに位置している。この状態で扉２を閉めても、押圧部材５がスイッチ６の押圧部６ｂを押すことはない。
【００１９】
次に、図２に示すように、扉１が閉じることにより、レバー３の第１部３ｄの先端部が扉１により押圧される。これにより、レバー３が図示の反時計方向に回転し、第２部３ｅの先端部が位置３ａから位置３ｂに回動する。レバー３の回転に伴い、連結部材４のスタッド１０がレバー３の開口部３ｃ内を移動し、連結部材４が上方に押し上げられる。これにより、連結部材４が位置４ａから位置４ｂに移動する。このとき、スタッド１１及び１２は夫々開口部４ａ及び４ｂ内を相対的に移動し、連結部材４が移動する際のガイドとなる。連結部材４が位置４ｂに移動することにより、ガイド板１６及び押圧部材５も移動する。この結果、押圧部材５の高さがスイッチ６の高さと等しくなる。
【００２０】
次に、図３に示すように、更に扉２を閉めることにより、扉２の突起部１５が押圧部材５を押圧する。これにより、押圧部材５がばね８の弾性力に逆らって位置５ａから位置５ｂに移動する。このとき、スタッド１３及び１４は夫々開口部５ｃ及び５ｄ内を相対的に移動し、押圧部材５が移動する際のガイドとなる。押圧部材５が位置５ｂに移動することにより、押圧部材５がスイッチ６の押圧部６ｂを押圧する。これにより、装置に電源が供給される。
【００２１】
このように、本実施例に係るインターロック装置においては、扉１を閉めてから扉２を閉めないと、スイッチ６の押圧部６ｂが押圧されない構造となっている。即ち、扉１及び２の双方が閉じているときのみ、装置に電源を供給することが可能となり、扉１及び２のうち少なくとも一方が開いているときには、装置の電源が入らない。また、扉１及び２の双方を閉める場合でも、扉１を閉めてから扉２を閉めないと、スイッチ６が押圧されない。即ち、予め決められた手順で扉１及び２の双方を閉めないと装置に電源が供給されないようになっている。このように、本実施例のインターロック装置は、筐体に設けられた２枚の扉のうち少なくとも一方が開いている状態において装置の電源が入ることを確実に防止することができる。この結果、扉を開けたまま装置の電源を入れてしまうという過失及び装置の運転中に扉を開けてしまうという過失が発生することを防止することができる。また、本実施例のインターロック装置においては、このような機能を１つのスイッチにより実現することができる。
【００２２】
また、レバー３における扉１により押圧される側の辺が１８０°を超える角度で交差しており、扉１が閉じたときにこの辺が扉１により押圧され、これによってレバー３が回転することにより、扉１の運動を効果的に連結部材４の垂直方向の運動に変換することができる。
【００２３】
なお、本実施例においては、位置４ａを位置４ｂよりも下方に配置することにより、扉１が開いているときには、連結部材４、ガイド板１６及び押圧部材５の重量により、連結部材４が位置４ａに位置するようになっている。しかしながら、本発明においては、ばね等の弾性部材により連結部材４を位置４ａに向けて付勢してもよい。これにより、位置４ａを位置４ｂよりも下方に配置する必要がなくなり、インターロック装置１７の配置の自由度が増大する。
【００２４】
【発明の効果】
以上詳述したように、本発明によれば、２枚の扉を備え装置を収納する筐体に設けられたインターロック装置であって、１つのスイッチにより、２枚の扉の双方が閉じたときにのみ装置の電源が供給されるインターロック装置を得ることができる。これにより、扉を開けたまま装置の電源を入れたり、装置の運転中に扉を開けたりすることを防止でき、装置の保守点検時及び部品交換時並びに運転時の安全性を向上させることができる。
【図面の簡単な説明】
【図１】本発明の実施例に係るインターロック装置を示す側面図であり、２枚の扉の双方が開いている状態を示す。
【図２】本実施例に係るインターロック装置を示す側面図であり、一方の扉のみが閉じた状態を示す。
【図３】本実施例に係るインターロック装置の動作を示す側面図であり、図２に示す状態から更に他方の扉が閉じた状態を示す。
【符号の説明】
１、２；扉
３；レバー
３ａ、３ｂ；位置
３ｃ；開口部
３ｄ；第１部
３ｅ；第２部
４；連結部材
４ａ、４ｂ；位置
４ｃ、４ｄ；開口部
５；押圧部材
５ａ、５ｂ；位置
５ｃ、５ｄ；開口部
６；スイッチ
６ａ；本体
６ｂ；押圧部
６ｃ；カバー
７；ブラケット
８；ばね
９；回動軸
１０、１１、１２、１３、１４；スタッド
１５；突起部
１６；ガイド板
１７；インターロック装置
【図１】
0003699006.tif 000002
【図２】
0003699006.tif 000003
【図３】
0003699006.tif 000004